(57)【要約】【課題】眼鏡フレームのヨロイとテンプルを連結するのに有効であって、テンプルの回動を、開く方向及び閉じる方向の両方について制限する蝶番を提供する。【解決手段】略円板状の２つの連結部を有する固定片２０と、略円板状の連結部を有する可動片３０と、両面ストッパー７０と、座金８０と、軸ねじ４０とを備える。連結部２２には凸部５０が、両面ストッパー７０には凸部７３、７４が、連結部３２には凸部６０が設けられ、凸面５１と凹面５７、凸面５６と凹面５２とが噛み合い、凸面６６と凹面６２、凸面６１と凹面６７とが噛み合って回動し、各凸部によって回動が制限される。【選択図】図１
2010271389.tif 000002
【特許請求の範囲】
【請求項１】
二つの部材を回動自在に連結する蝶番であって、
中央に軸孔を備える略円板状の２つの連結部を有して一方の部材の端部に取付けられる固定片と、
中央に軸孔を備える略円板状の連結部を有して他方の部材の端部に取付けられる可動片と、
中央に軸孔を備える略円板状に形成され前記固定片の一方の連結部と前記可動片の連結部との間に取付けられる両面ストッパーと、
前記各軸孔に挿通される軸ねじとを備えてなり、
前記両面ストッパーの両面、及び前記両面ストッパーと対面する前記固定片及び前記可動片の各連結部の面には、夫々凸部が設けられ、
前記固定片の連結部の凸部を有する面と前記両面ストッパーの一方の面については、回動に伴って、一方の凸面と他方の凹面とが互いに噛み合って摺動するように形成され、
前記両面ストッパーの他方の面と前記可動片の連結部の凸部を有する面については、回動に伴って、一方の凸面と他方の凹面とが互いに噛み合って摺動するように形成され、
かつ、各凸部によって回動の範囲が制限されてなることを特徴とする蝶番。
【請求項２】
前記可動片の連結部と前記固定片の他方の連結部との間に、中央に軸孔を備える略円板状に形成された座金を備えてなる請求項１に記載の蝶番。
【請求項３】
前記座金が、一方の側に短管部を備え、該短管部が前記可動片の軸孔に挿入されてなる請求項２に記載の蝶番。
【請求項４】
前記両面ストッパーが、他方の面の側に短管部を備え、該短管部が前記可動片の軸孔に挿入されてなる請求項１乃至３の何れかに記載の蝶番。
【請求項５】
前記固定片の一つの軸孔が、ねじ孔に形成されてなることを特徴とする請求項１乃至４の何れかに記載の蝶番。
【発明の詳細な説明】
【技術分野】
【０００１】
本発明は、二つの部材を相対的に回動自在に連結する蝶番に関し、特に、眼鏡フレームのヨロイとテンプルとを相対的に連結するのに有効な蝶番に関する。
【背景技術】
【０００２】
一般的な眼鏡フレームは、ヨロイとテンプルとが蝶番によって連結されており、眼鏡を着用するときには、左右のテンプルが夫々フロントフレームに対して略９０°開き、不使用のときには、左右のテンプルが夫々フロントフレームの裏側に重なるように、折り畳むことができる。
【０００３】
従来用いられている蝶番の一例を図５に示す。この蝶番１１０は、一方の部材に取付けられる固定片１２０、他方の部材に取付けられる可動片１３０、及びこれらを連結する軸ねじ１４０で構成されている。
【０００４】
固定片１２０は、略円板状の２つの連結部１２２、１２３を備え、夫々の中央には同一軸線上に軸孔１２４、１２５を備えている。また、一方の部材に溶接等で取付けるための取付部１２１を備えている。可動片１３０は、略円板状の１つの連結部１３２を備え、その中央には軸孔１３５を備えている。また、他方の部材に溶接等で取付けるための取付部１３１を備えている。
【０００５】
固定片１２０の２つの連結部１２２、１２３は、所定の間隔を置いて対向して設けられており、その間に可動片１３０の連結部１３２を挿入することができる。そして、固定片１２０の軸孔１２４、１２５及び可動片１３０の軸孔１３５を同一軸線上に位置させると共に軸ねじ１４０を挿入して、固定片１２０に対して可動片１３０を回動自在に連結することができる。ここでは、軸孔１２５がねじ孔に形成され、軸ねじ１４０と螺合するように形成されている。
【０００６】
この蝶番１１０を眼鏡フレームに使用した状態を図６に示す。すなわち、蝶番１１０の固定片１２０がヨロイ１９１に取付けられ、可動片１３０がテンプル１９２に取付けられている。図６（１）は、テンプル１９２を開いた状態であり、眼鏡を着用するときの状態を示している。テンプル１９２を開く方向に回動すると、ヨロイ１９１の端部１９８とテンプル１９２の端部１９９とが互いに当接して、回動が制限されるようになっている。
【０００７】
また、図６（１）に示すテンプル１９２を開いた状態において、蝶番１１０の形状は、円板状の連結部１２２、１２３、１３２を中心として、美しい滑らかな曲線を描くように形成することが可能である。したがって、眼鏡フレーム等の装飾的な価値を高め、高級感が得られるようにデザインを施すことができる。
【０００８】
図６（２）は、図６（１）の状態からテンプル１９２を略９０°回動して、閉じた状態を示している。従来、閉じる方向の回動に対しては、特にこれを制限する工夫はされず、テンプル１９２の一部がフロントフレーム又はレンズの一部に接触することにより、回動が停止するようになっている。
【０００９】
しかしながら、テンプルがフロントフレームやレンズの一部に当たると、これらに傷を付けることもある。そこで、テンプルを閉じる方向の回動に対しても、これを制限する工夫がされるようになった。特許文献１には、テンプルの閉じる角度を制限した蝶番が提案されている。これを図７に示す。
【００１０】
この蝶番１１１は、ヨロイ１９１に取付けられる固定片１２０、テンプル１９２に取付けられる可動片１３０、及びこれらを連結する軸ねじ１４０で構成されている。
【００１１】
固定片１２０は、略円盤状の２つの連結部１２２、１２３を備え、夫々の中央には同一軸線上に軸孔１２４、１２５を備えている。また、ヨロイ１９１に溶接等で取付けるための取付部１２１を備えている。可動片１３０は、略円盤状の１つの連結部１３２を備え、その中央には軸孔１３５を備えている。また、テンプル１９２に溶接等で取付けるための取付部１３１を備えている。
【００１２】
固定片１２０の２つの連結部１２２、１２３は、所定の間隔を置いて対向して設けられており、その間に可動片１３０の連結部１３２を挿入することができる。そして、固定片１２０の軸孔１２４、１２５及び可動片１３０の軸孔１３５を同一軸線上に位置させると共に軸ねじ１４０を挿入して、固定片１２０に対して可動片１３０を回動自在に連結することができる。ここでは、軸孔１２５がねじ孔に形成され、軸ねじ１４０と螺合するように形成されている。
【００１３】
さらに、固定片１２０は、取付部１２１の一部を突出させてストッパー１２９を形成している。同様に、可動片１３０も、取付部１３１の一部を突出させてストッパー１３９を形成している。ストッパー１２９、１３９を設けたことにより、テンプルを閉じる方向の回動に対しても、これを制限することができる。なお、テンプルを開く方向の回動に対しては、従来と同様に、ヨロイ１９１の端部とテンプル１９２の端部で制限している。
【００１４】
蝶番１１１は、テンプル１９２を閉じる方向の回動を制限することができるので、テンプル１９２を閉じる際に、フロントフレームやレンズを傷つけることがない。しかしながら、この蝶番１１１は、ストッパー１２９、１３９を設けたことにより、テンプル１９２を開いて着用する状態としたときに、図６（１）に示すような美しい曲線を描くことはできない。ストッパー１２９、１３９が突起状となり、滑らかな曲線を描くことができず、デザインを施す上で大きな障害となっている。
【先行技術文献】
【特許文献】
【００１５】
【特許文献１】特開２００４−２７２１７８号公報
【発明の概要】
【発明が解決しようとする課題】
【００１６】
この発明が解決しようとする課題は、眼鏡フレームのヨロイとテンプルを連結するのに有効な蝶番であって、テンプルの回動を、開く方向及び閉じる方向の両方について制限する蝶番を提供することである。また、テンプルを開いたときに、美しい滑らかな曲線を描くことが可能であり、眼鏡フレーム等の装飾的価値を高め、高級感が得られるデザインを施すことができる蝶番を提供することである。
【課題を解決するための手段】
【００１７】
本発明の請求項１に係る蝶番は、二つの部材を回動自在に連結する蝶番であって、中央に軸孔を備える略円板状の２つの連結部を有して一方の部材の端部に取付けられる固定片と、中央に軸孔を備える略円板状の連結部を有して他方の部材の端部に取付けられる可動片と、中央に軸孔を備える略円板状に形成され前記固定片の一方の連結部と前記可動片の連結部との間に取付けられる両面ストッパーと、前記各軸孔に挿通される軸ねじとを備えてなり、前記両面ストッパーの両面、及び前記両面ストッパーと対面する前記固定片及び前記可動片の各連結部の面には、夫々凸部が設けられ、前記固定片の連結部の凸部を有する面と前記両面ストッパーの一方の面については、回動に伴って、一方の凸面と他方の凹面とが互いに噛み合って摺動するように形成され、前記両面ストッパーの他方の面と前記可動片の連結部の凸部を有する面については、回動に伴って、一方の凸面と他方の凹面とが互いに噛み合って摺動するように形成され、かつ、各凸部によって回動の範囲が制限されてなる手段を採用している。
【００１８】
また、本発明の請求項２に係る蝶番は、請求項１に記載の蝶番であって、前記可動片の連結部と前記固定片の他方の連結部との間に、中央に軸孔を備える略円板状に形成された座金を備えてなる手段を採用している。また、本発明の請求項３に係る蝶番は、請求項２に記載の蝶番であって、前記座金が、一方の側に短管部を備え、該短管部が前記可動片の軸孔に挿入されてなる手段を採用している。また、本発明の請求項４に係る蝶番は、請求項１乃至３の何れかに記載の蝶番であって、前記両面ストッパーが、他方の面の側に短管部を備え、該短管部が前記可動片の軸孔に挿入されてなる手段を採用している。また、本発明の請求項５に係る蝶番は、請求項１乃至４の何れかに記載の蝶番であって、前記固定片の一つの軸孔が、ねじ孔に形成されてなる手段を採用している。
【発明の効果】
【００１９】
本発明の蝶番は、眼鏡フレームのヨロイとテンプルを連結するのに有効な蝶番であり、テンプルの回動を、開く方向及び閉じる方向の両方について制限することができる。したがって、テンプルを閉じたときに、テンプルがフロントフレームやレンズを傷つけることがない。また、テンプルを開いたときの形状を、従来の蝶番と同様に美しい滑らかな曲線とすることが可能であり、眼鏡フレーム等の装飾的価値を高めて、高級感が得られるデザインを施すことができる。
【図面の簡単な説明】
【００２０】
【図１】本発明の蝶番の一例を示し、（１）は側面組立図、（２）〜（５）は（１）のＡ−Ａ矢視、Ｂ−Ｂ矢視、Ｃ−Ｃ矢視、Ｄ−Ｄ矢視における各部材の凹凸面形状を示す。
【図２】図１に示す蝶番を構成する固定片、可動片、及び軸ねじを示し、（１）は各構成部品の概略平面図、（２）及び（３）は夫々（１）におけるＥ−Ｅ矢視及びＦ−Ｆ矢視の各概略側面図を示す。
【図３】図１に示す蝶番を構成する両面ストッパー及び座金を示し、（１）は各構成部品の概略平面図、（２）及び（３）は夫々（１）におけるＧ−Ｇ矢視及びＨ−Ｈ矢視の各概略側面図を示す。
【図４】図１の蝶番により眼鏡フレームのヨロイとテンプルとを連結した概略平面図であり、（１）はテンプルを開いた状態を、（２）はテンプルを閉じた状態を示す。
【図５】従来の蝶番の一例を示し、（１）は構成部品の概略平面図であり、（２）は（１）におけるＡ−Ａ矢視概略側面図、（３）は（１）におけるＢ−Ｂ矢視概略側面図である。
【図６】図５の蝶番により眼鏡フレームのヨロイとテンプルとを連結した概略平面図であり、（１）はテンプルを開いた状態を示し、（２）はテンプルを閉じた状態を示す。
【図７】従来の蝶番の他の例を示す概略斜視図である。
【発明を実施するための形態】
【００２１】
本発明の蝶番の一例を図１〜図３に示す。この蝶番１０は、一方の部材に取付けられる固定片２０、他方の部材に取付けられる可動片３０、固定片２０と可動片３０との間に取付けられる両面ストッパー７０と座金８０、及びこれらを連結する軸ねじ４０で構成されている。
【００２２】
固定片２０は、略円板状の２つの連結部２２、２３を備え、夫々の中央には同一軸線上に軸孔２４、２５を備えている。また、一方の部材に溶接等で取付けるための取付部２１を備えている。可動片３０は、略円板状の１つの連結部３２を備え、その中央には軸孔３５を備えている。また、他方の部材に溶接等で取付けるための取付部３１を備えている。
【００２３】
固定片２０の２つの連結部２２、２３は、所定の間隔を置いて対向して設けられており、その間に、可動片３０の連結部３２を、両面ストッパー７０及び座金８０と共に挿入することができる。そして、固定片２０の軸孔２４、２５及び可動片３０の軸孔３５を同一軸線上に位置させると共に軸ねじ４０を挿入して、固定片２０に対して可動片３０を回動自在に連結することができる。
【００２４】
両面ストッパー７０は、中央に軸孔７５を備え略円板状をなす本体部７１の両面に、凸部７３、７４が設けられている。凸部７３により、一方の面には、凸面５６と凹面５７が形成され、その境界面が当り面５８、５９となっている。凹面５７の範囲は、回転軸に対して略１２０°である。また、凸部７４により、他方の面には、凸面６６と凹面６７が形成され、その境界面が当り面６８、６９となっている。凹面６７の範囲は、回転軸に対して略１２０°である。
【００２５】
両面ストッパー７０の他方の面には、略円筒状の短管部７２を備えている。正確には、凸面６６に対応する形状となっており、凹面６７に対応する略１２０°は切除された状態で形成されている。短管部７２は、可動片３０の連結部３２の軸孔３５に挿通可能に形成され、軸孔３５に挿通された状態で組み立てられる。これにより、蝶番１０の回動を滑らかにすることができる。
【００２６】
固定片２０の一方の連結部２２の内面、すなわち両面ストッパー７０と対面する面、には凸部５０が設けられている。そして、凸面５１と凹面５２が形成され、その境界面が当り面５３、５４となっている。凸面５１の範囲は、回転軸に対して略９０°である。連結部２２の内面は、両面ストッパー７０の一方の面と対面して組み立てられるとともに、凸面５１と凹面５７、及び凸面５６と凹面５２とが互いに噛み合わされる。この結果、回動に伴って、一方の凸面と他方の凹面とが噛み合って摺動することになる。
【００２７】
可動片３０の連結部３２の一方の面、すなわち両面ストッパー７０と対面する面、には凸部６０が設けられている。そして、凸面６１と凹面６２が形成され、その境界面が当り面６３、６４となっている。凸面６１の範囲は、回転軸に対して略９０°である。連結部３２の一方の面は、両面ストッパー７０の他方の面と対面して組み立てられるとともに、凸面６１と凹面６７、及び凸面６６と凹面６２とが互いに噛み合わされる。この結果、回動に伴って、一方の凸面と他方の凹面とが噛み合って摺動することになる。
【００２８】
座金８０は、中央に軸孔８５を備える略円板状に形成された本体部８１と略円筒状の短管部８２とを備えている。短管部８２は、可動片３０の連結部３２の軸孔３５に挿通可能に形成され、軸孔３５に挿通された状態で組み立てられる。座金８０を取付けることによって、蝶番１０の回動を滑らかにすることができる。
【００２９】
軸ねじ４０は、固定片２０の連結部２２の軸孔２４、両面ストッパー７０の軸孔７５、可動片３０の連結部３２の軸孔３５、座金８０の軸孔８５、及び固定片２０の連結部２３の軸孔２５を挿通して固定される。ここでは、連結部２３の軸孔２５がねじ孔に形成されており、軸ねじ４０と螺合するように形成されている。軸孔２５をねじ孔に形成する替わりに、ロックナットを用いて取付けることもできる。以上の結果、固定片２０に対して可動片３０を回動自在とすることができる。
【００３０】
本発明の蝶番１０は、両面ストッパー７０を備えることにより、その回動が制限されることを特徴としている。すなわち、固定片２０と両面ストッパー７０との間では、一方の回動に対して当り面５３と当り面５８が当接することにより制限され、他方の回動に対して当り面５４と当り面５９が当接することにより制限される。この結果、固定片２０と両面ストッパー７０との間では、相互の回動が略４５°に制限される。
【００３１】
また、両面ストッパー７０と可動片３０との間では、一方の回動に対して当り面６３と当り面６８が当接することにより制限され、他方の回動に対して当り面６４と当り面６９とが当接することにより制限される。この結果、両面ストッパー７０と可動片との間では、相互の回動が略４５°に制限される。そして、固定片２０と可動片３０との間では、相互の回動が略９０°に制限されることになる。
【００３２】
この蝶番１０を眼鏡フレームに使用した状態を図４に示す。すなわち、蝶番１０の固定片２０がヨロイ９１に取付けられ、可動片３０がテンプル９２に取付けられている。図４（１）は、テンプル９２を開いた状態であり、眼鏡を着用するときの状態を示している。テンプル９２を開く方向に回動すると、当り面５３と当り面５８とが当接し、当り面６３と当り面６８とが当接して回動が制限される。
【００３３】
図４（２）は、図４（１）の状態からテンプル９２を略９０°回動して、閉じた状態を示している。テンプル９２を閉じる方向に回動すると、当り面５４と当り面５９とが当接し、当り面６４と当り面６９とが当接して回動が制限される。
【００３４】
本発明の蝶番１０は、両面ストッパー７０の両面、及び両面ストッパー７０と対面する固定片２０及び可動片３０の各連結部２２、３２の面に、夫々凸部を設けたことにより、回動の両方向に対して制限することができる。したがって、これを用いて眼鏡フレームのヨロイ９１とテンプル９２を連結した場合には、着用時におけるテンプル９２の開き具合を調整することができる。また、不使用時におけるテンプル９２の閉じ具合を調整することができる。そして、不使用時に眼鏡フレームやレンズを傷つけることもない。
【００３５】
また、本発明の蝶番１０は、本来互いに摺動する連結部２２と連結部３２の接触面の間に両面ストッパー７０を設けただけであり、図４に示す蝶番１０の外観は、図６に示す従来の蝶番１１０と殆ど変わっていない。したがって、本発明の蝶番１０は、従来の蝶番１１０と同様に、テンプルを開いたときに、美しい滑らかな曲線を描くことが可能であり、眼鏡フレーム等の装飾的価値を高め、高級感が得られるデザインを施すことができる。
【００３６】
さらに、開き具合の調整と閉じ具合の調整には、小物部品である両面ストッパー７０を細工して行うことができる。或いは、これを交換して行うことができる。この結果、蝶番本体や眼鏡フレームに手を加えることなく調整することが可能であり、調整ミスによってこれらを台無しにすることもない。
【符号の説明】
【００３７】
１０、１１０、１１１    蝶番
２０、１２０    固定片
２１、３１、１２１、１３１    取付部
２２、２３、３２、１２２、１２３、１３２    連結部
２４、２５、３５、７５、８５、１２４、１２５、１３５    軸孔
３０、１３０    可動片
４０、１４０    軸ねじ
５０、６０、７３、７４    凸部
５１、５６、６１、６６    凸面
５２、５７、６２、６７    凹面
５３、５４、５８、５９、６３、６４、６８、６９    当り面
７０    両面ストッパー
７１、８１    本体部
７２、８２    短管部
８０    座金
９１、１９１    ヨロイ
９２、１９２    テンプル
９８、９９、１９８、１９９    端部
１２９、１３９    ストッパー
【図１】
2010271389.tif 000003
【図２】
2010271389.tif 000004
【図３】
2010271389.tif 000005
【図４】
2010271389.tif 000006
【図５】
2010271389.tif 000007
【図６】
2010271389.tif 000008
【図７】
2010271389.tif 000009